(57)【要約】【課題】  ドアが装着されるドア枠の枠材に取付けられ、枠材との色調が統一した戸当り部材の提供。【解決手段】  戸当り部材１の本体２の色調は枠材１１と同等色とし、一方側面５には軟質樹脂製のクッション材６を有すと共に軟質樹脂層１０を設けて被覆し、そして本体２の表面７及び他方側面８には木目フイルム９を貼り付け、上記軟質樹脂で構成したクッション材６と軟質樹脂層１０は上記木目フイルム９と同等色にしている。【選択図】    図１
2017020196.tif 000002
【特許請求の範囲】
【請求項１】
ドアが装着されるドア枠の枠材に取付けられる戸当り部材において、戸当り部材は硬質樹脂製の本体と上記枠材に設けた嵌合溝に嵌る硬質樹脂製の脚から成って、上記本体及び脚の色調は枠材と同等色とし、一方側面には軟質樹脂製のクッション材を有すと共に軟質樹脂層を設けて被覆し、そして本体の表面及び他方側面にはフイルムを貼り付け、上記軟質樹脂で構成したクッション材と軟質樹脂層は上記フイルムと同等色にしたことを特徴とする戸当り部材。
【請求項２】
上記フイルムは木目を形成した木目フイルムとした請求項１記載の戸当り部材。
【発明の詳細な説明】
【技術分野】
【０００１】
本発明はドア枠の枠材に取付けられて、ドアが閉じる際にストッパーとして機能する戸当り部材に関するものである。
【背景技術】
【０００２】
ドアが装着されるドア枠には戸当り部材が取付けられていて、閉じるドアのストッパーとして、又ドア枠との間に隙間が生じないように機能する。ところで、戸当り部材の形態にも色々あるが、図３は従来の代表的な戸当り部材を示している断面図である。該戸当り部材（イ）は互いに平行な２本の脚（ロ）、（ロ）を有し、該脚（ロ）、（ロ）は戸当り部材本体（ハ）の両側部から延びている。そして、上記脚（ロ）、（ロ）の外側面にはノコ歯（ニ）、（ニ）・・・が形成されている。
【０００３】
一方、ドア枠を構成する枠材には嵌合溝が設けられ、この嵌合溝に上記両脚（ロ）、（ロ）が嵌合して戸当り部材（イ）が取付けられる。図４は枠材（ホ）に形成した嵌合溝（ヘ）に２本の脚（ロ）、（ロ）が嵌って戸当り部材（イ）が取付けられている状態を表している。そして戸当り部材（イ）にはクッション材（ト）が設けられ、ドア（チ）が閉じた際の衝撃を緩和することが出来る。
【０００４】
ところで、上記戸当り部材（イ）の表面（リ）及び側面（ヌ）には木目フイルム（ル）が貼着され、同じく枠材（ホ）の表面（オ）にも木目フイルム（ル）を貼着している。ここで、表面（リ）と側面（ヌ）に貼着される木目フイルム（ル）と枠材（ホ）の表面（オ）に貼着される木目フイルム（ル）は同じフイルムが使用される。
ただし、反対側面（ワ）及びクッション材（ト）には木目フイルム（ル）が貼着されない。
【０００５】
上記木目フイルム（ル）の厚さが薄く、その為に木目フイルム（ル）にて本体（ハ）の表面（リ）、側面（ヌ）、及び枠材（ホ）の表面（オ）を十分に隠ぺいすることが出来ない。その為に、樹脂製の戸当り部材（イ）に貼着した際の色調と木製の枠材（ホ）に貼着した際の色調が違って見え、戸当り構造の色調が統一されず、好ましい外観とは成り得ない。
すなわち、隠ぺいの弱い木目フイルム（ル）が貼着される下地の色が木製の枠材（ホ）と樹脂製の戸当り部材（イ）とで異なることに起因する。
【０００６】
従来からドアのストッパーとして戸当り部材は多用され、一般的に枠材に設けた嵌合溝に脚が嵌って取付けられた構造としている。そこで、ドアを閉めた際の衝撃を受けて該脚は嵌合溝から外れ難いように構成されて、戸当り部材に貼着した木目フイルムと枠材に貼着した木目フイルムとの色調の統一に関するものは殆ど知られていない。
【０００７】
例えば、実用新案登録第３１９５６３８号に係る「モヘヤを備えた戸当たり部材」は、ドアの取付け枠に取付けてドアを閉じた際のストッパーとなるモヘヤを備えたものである。すなわち、戸当り部材の側部には開口を有す嵌合溝を形成し、嵌合溝には軟質樹脂部を設け、モヘヤを植毛した基板が嵌合溝に嵌った際に軟質樹脂部に圧接して抜け落ちることを防止するようにしている。
【特許文献１】実用新案登録第３１９５６３８号に係る「モヘヤを備えた戸当たり部材」
【発明の開示】
【発明が解決しようとする課題】
【０００８】
このように、従来の戸当り部材には上記のごとき問題がある。本発明の戸当り部材の基本的構造は従来と同じく本体と脚を有した形態とし、樹脂製の戸当り部材と木製の枠材に同じ木目フイルムを貼着した場合に、色調に違和感なく枠材と調和することが出来る戸当り部材を提供する。
【課題を解決するための手段】
【０００９】
本発明に係る戸当り部材は樹脂製として本体と脚を有し、該本体のコーナー部には軟質樹脂製のクッション材を取付けている。そして、本体の表面と一方側面（クッション材が無い側面）には木目フイルムが貼着され、該クッション材を取付けた側面は軟質樹脂層にて被覆される。上記戸当り部材の本体及び脚は木製枠材と同等色にしている。また、枠材表面にも木目フイルムを貼着している。
【００１０】
したがって、薄くて隠ぺい性が弱い木目フイルムを貼った場合、木製枠材に貼った時の仕上り感（色調）と樹脂製の戸当り部材に貼った時の仕上り感（色調）に違和感はなくなる。すなわち、両者（戸当り部材と枠材）の色調は調和して違和感を覚えることはない。  本発明では戸当り部材の硬質部分を木製枠材の色を同等色とし、軟質部分はフイルムと同等色として構成している。ただし、上記フイルムは木目を形成した場合に限定はしないことにする。
【発明の効果】
【００１１】
本発明に係る戸当り部材の本体は木製の枠材と同等色としており、その為に薄い木目フイルムを貼着した場合に、戸当り部材と枠材はその色調において違和感なく調和することが出来る。
一方、戸当り部材本体には軟質樹脂製のクッション材と側面にも軟質樹脂層を形成しているが、これら軟質樹脂は上記本体及び枠材に貼着したフイルムと同等色としており、その為に戸当り部材は全体としてその色調が統一され、しかも枠材との調和がとれる。その為に、戸当り構造の色調が統一されて好ましい外観を構成することが出来る。
【図面の簡単な説明】
【００１２】
【図１】本発明に係る戸当り部材の断面図。
【図２】本発明の戸当り部材の脚が枠材に設けた嵌合溝に嵌って取付けられた場合の断面図。
【図３】従来の戸当り部材の断面図。
【図４】従来の戸当り部材の脚が枠材に設けた嵌合溝に嵌って取付けられた場合の断面図。
【発明を実施するための形態】
【００１３】
図１は本発明に係る戸当たり部材１を示す断面図であり、長方形断面の本体２と互いに平行な２本の脚３，３を有し、本体２と脚３，３は硬質樹脂を用いて一体的に成形されている。そして、上記脚３，３の外側面にはノコ歯４，４・・・が形成されていて、ドア枠の枠材に形成した嵌合溝に嵌った両脚３，３が外れ難いように成っている。すなわち、ノコ歯は嵌合溝の内側面に食い込んで固定される。
【００１４】
そして、上記本体２の一方側面５にはクッション材６が設けられ、また本体２の表面７と他方側面８には木目フイルム９が貼着されている。木目フイルム９が貼着されない上記一方側面５には軟質樹脂層１０を設け、この軟質樹脂層１０によって側面５が被覆されている。上記側面５にはクッション材６を有している為に、木目フイルム９の貼着が出来ない為に、軟質樹脂層１０によって該側面５が覆われている。
ここで、同図に示す本体２は長方形断面と成っているが、下側が開口したコ形断面とすることもあり、また脚３，３も同図に示すように互いに独立した２本として構成する場合に限定するものではない。
【００１５】
図２は上記戸当り部材がドア枠を構成する枠材１１に取付けた場合の断面図であり、該枠材１１には一定幅の嵌合溝１２が設けられ、この嵌合溝１２に上記両脚３，３が嵌って取付けられる。同図では該嵌合溝１２の溝幅を大きくして２本の脚３，３が嵌っているが、細幅の嵌合溝を設けて各々の脚３，３が嵌るように構成する場合もある。
【００１６】
そして、上記嵌合溝１２に嵌った脚３，３は、その外側面に設けているノコ歯４，４・・・が嵌合溝１２の内側面に食い込むことで外れないように固定される。ただし、本発明では該戸当り部材１の形態及び枠材１１に形成する嵌合溝１２の形態に関しては特に限定しないことにする。
【００１７】
ところで、本発明では戸当り部材１を枠材１１に取付けた場合、その色調が統一されて違和感を覚えないように構成している。戸当り部材１の本体２と脚３，３は硬質樹脂で構成され、そして色合いは枠材１１と同等色、すなわち茶系としている。この茶系をした戸当り部材１の表面７と側面８には木目フイルム９が貼着され、同じく枠体１１の表面１３にも木目フイルム９を貼着している。
したがって、両者は同等色である為に薄い木目フイルム９であってもその色調は統一されて、違和感を覚えることはない。
【００１８】
一方、軟質樹脂から成るクッション材６及び本体２の一方側面５に形成している軟質樹脂層１０は統一されて木目フイルム９と同じ色合いとしている。
クッション材６及び軟質樹脂層１０に木目フイルムを貼着することはないが、戸当り部材全体の色調は枠材１１と統一され、該枠材１１に戸当り部材１を取付けた場合に何ら違和感を覚えることはない。
【００１９】
例えば、木製の枠体１１は基本的に茶系色であり、戸当り部材１の本体２も茶系色と成る。そこで、本体２の表面７及び側面８に貼着する木目フイルム９は一般に枠材１１と同系色の茶系色とすることが多いが、必ずしも茶系色に限るものではない。
【００２０】
本体２と枠体１１が同じ茶系色であることで、茶系色以外の薄い木目フイルム９を貼着しても色調は統一されて何ら違和感を覚えることはない。そして、クッション材６及び軟質樹脂層１０の色合いを上記木目フイルム９と同等色として構成することで、戸当り部材１は枠材１１の色調と統一され、外観上は好ましい戸当り構造として構成することが可能である。
【符号の説明】
【００２１】
１  戸当り部材
２  本体
３  脚
４  ノコ歯
５  側面
６  クッション材
７  表面
８  側面
９  木目フイルム
10  軟質樹脂層
11  枠材
12  嵌合溝
13  表面
【図１】
2017020196.tif 000003
【図２】
2017020196.tif 000004
【図３】
2017020196.tif 000005
【図４】
2017020196.tif 000006